(57)【要約】【課題】  高度に正確かつ精密な、残留白血球の分析および計数のための試薬を提供すること。【解決手段】  血漿、赤血球、および血小板からなる群より選択される、白血球を減少させた血液製剤の、サンプル中の残留白血球の計数および分析のための方法であって：ａ）白血球を減少させた血液製剤を、十分な量の溶解試薬と接触させることによって、白血球を減少させた血液製剤の懸濁液を形成する工程であって、この溶解試薬が、以下：ｉ）低モル濃度の緩衝剤、およびｉｉ）非イオン性界面活性剤、を含有する、工程；ｂ）白血球を減少させた血液製剤および溶解試薬の懸濁液を、白血球に損傷を与えることなく血小板および赤血球を選択的に溶解するために十分な温度で、十分な時間にわたって、インキュベートする工程；ｃ）溶解した血液製剤の白血球を、白血球を染色するために適切な色素と接触させる工程；ならびにｄ）染色された白血球の数を測定する工程、を包含する。【選択図】  なし【特許請求の範囲】
【請求項１】
血漿、赤血球、および血小板からなる群より選択される、白血球を減少させた血液製剤の、サンプル中の残留白血球の計数および分析のための方法であって、以下：
ａ）該白血球を減少させた血液製剤を、十分な量の溶解試薬と接触させることによって、該白血球を減少させた血液製剤の懸濁液を形成する工程であって、該溶解試薬が、以下：
ｉ）低モル濃度の緩衝剤、および
ｉｉ）非イオン性界面活性剤、
を含有する、工程；
ｂ）該白血球を減少させた血液製剤および該溶解試薬の懸濁液を、該白血球に損傷を与えることなく該血小板および赤血球を選択的に溶解するために十分な温度で、十分な時間にわたって、インキュベートする工程；
ｃ）該溶解した血液製剤の白血球を、該白血球を染色するために適切な色素と接触させる工程；ならびに
ｄ）染色された白血球の数を測定する工程、
を包含する、方法。
【請求項２】
前記非イオン性界面活性剤が、オクチルフェノールポリエチレングリコールエーテル、モノラウリン酸ポリエチレンソルビタン、モノオレイン酸ポリエチレンソルビタン、およびポリオキシエチレンラウリルエーテルからなる群より選択される少なくとも１種であり；そして該非イオン性界面活性剤の量が、前記溶解試薬の約０．０１重量％〜約１．０重量％で変動する、請求項１に記載の方法。
【請求項３】
低モル濃度の緩衝剤が、コハク酸、クエン酸、Ｎ−２−アセトアミドイミノ二酢酸、モルホリンエタンスルホン酸、およびピペラジン−Ｎ，Ｎ’−ビス−（２−エタンスルホン酸）からなる群より選択され；そして該緩衝剤の量が、約２ｍＭ〜約２５ｍＭで変動する、請求項１または２に記載の方法。
【請求項４】
前記白血球を染色するために使用される前記色素が、メチルグリーン、メチレンブルー、ピロニンＹ、およびヨウ化プロピジウムからなる群より選択される核酸特異的色素である、請求項１〜３のいずれか１項に記載の方法。
【請求項５】
強力な有機溶媒を含まず、そして白血球を減少させた血液製剤中の残留白血球の計数および分析のために適合された、溶解試薬組成物であって、以下：
ａ）十分な量の、少なくとも１種の非イオン性界面活性剤；
ｂ）十分な量の、低モル濃度の緩衝剤；および
ｃ）十分な量の、該白血球を染色し得る適切な色素、
を含有する、組成物。
【請求項６】
約３．５〜約７．５のｐＨで作用するように適合された、請求項５に記載の組成物。
【請求項７】
前記白血球を減少させた血液製剤が、血漿、赤血球および血小板からなる群より選択される、請求項５または６に記載の組成物。
【請求項８】
前記非イオン性界面活性剤が、オクチルフェノール−ポリエチレングリコールエーテル、モノラウリン酸ポリオキシエチレンソルビタン、モノオレイン酸ポリオキシエチレンソルビタン、およびポリオキシエチレンラウリルエーテルからなる群より選択される少なくとも１種であり；そして非イオン性界面活性剤の量が、前記溶解試薬の約０．０１重量％〜約１．０重量％で変動する、請求項５〜７のいずれか１項に記載の組成物。
【請求項９】
前記低モル濃度の緩衝剤が、コハク酸、クエン酸、Ｎ−２−アセトアミドイミノ二酢酸、２−（Ｎ−モルホリノ）エタンスルホン酸、およびピペラジン−Ｎ，Ｎ’−ビス−（２−エタンスルホン酸）からなる群より選択され；そして該緩衝剤の該モル濃度が、約５ｍＭ〜約５０ｍＭで変動する、請求項５〜８のいずれか１項に記載の組成物。
【請求項１０】
前記色素が、メチルグリーン、メチレンブルー、ピロニンＹ、およびヨウ化プロピジウムからなる群より選択される、核酸特異的色素である、請求項５〜９のいずれか１項に記載の組成物。
【請求項１１】
強力な有機溶媒を含まない溶解試薬を使用することによる、残留白血球の計数および分析のために適合された、自動臨床分析器のプラスチック製構成要素に対する損傷を防止するための方法であって、該溶解試薬は、以下：
ａ）少なくとも１種の非イオン性界面活性剤；および
ｂ）低モル濃度の緩衝剤、
を含有する、方法。
【発明の詳細な説明】
【技術分野】
【０００１】
本出願は、２００３年７月２１日出願の米国出願番号６０／４８８，９４５に対する利益を主張する。
【背景技術】
【０００２】
本発明は、懸濁液中の有核細胞の自動分析および手動分析、特に、白血球を減少させた血液製剤（濃縮された血小板およびパック詰めされた赤血球（「ＲＢＣ」）製剤を含む）における、高度に正確かつ精密な、残留白血球（ｗｈｉｔｅ  ｂｌｏｏｄ  ｃｅｌｌまたはｌｅｕｋｏｃｙｔｅ）の分析および計数のための試薬の使用に関する。
【０００３】
血液バンク製剤（例えば、赤血球濃縮物、血小板濃縮物、および血漿）における、残留白血球の量を計数（ｃｏｕｎｔまたはｅｎｕｍｅｒａｔｅ）するための、種々の方法およびシステムが公知である。血液バンク製剤における残留白血球数を計数するための方法としては、手動で調製されたこれらの製剤の希釈物の、特別に設計された血球メーターにおける顕微鏡試験、および白血球のフローサイトメーター計数が挙げられる（非特許文献１〜３を参照）。
【０００４】
白血球計数のための現在の方法は、比較的高いｐＨ（約８．５以上）を使用して、同定および計数のために白血球の残りをそのままにしたまま、これらの他の血球型を特異に溶解することによって他の血球型の干渉の排除を促進する。８．５以上のｐＨで操作する不都合は、白血球の迅速な崩壊が生じることである。
【０００５】
現在の方法はまた、白血球保護剤として、強力な有機溶媒（エーテル／アルコール（例えば、エトキシエタノール、ブトキシエタノール、エトキシエトキシエタノール、メトキシエタノール、エチルエーテルなど）；アルコール（例えば、イソプロピルアルコールジメチルエチレングリコール、ジエチルエチレングリコールなど）；ケトン（例えば、アセトン、メチルエーテルケトンなど）；非プロトン性溶媒（例えば、ジメチルスルホキシド（ＤＭＳＯ）、ジメチルホルムアミド（ＤＭＦ）、ジメチルアセトアミドなど）；およびフラン（例えば、テトラヒドロフランなど）が挙げられる）を使用する。
【０００６】
Ｂｒｏｗｎらは、他の白血球保護試薬を開示している（特許文献１を参照）。このような有機溶媒の使用は、不都合である。なぜなら、これらは、フローサイトメーターとして作動する自動臨床分析器のプラスチック製構成要素を損壊し得るか、またはこれらに有害な影響を与え得るからである。プラスチック材料は、自動分析器の多くの構成要素（反応チャンバ、シール、チュービング、廃液容器および保存容器ならびに光学的コンパートメントを含む）の製造に一般的に使用されている。これらの成分を攻撃する化学溶媒は、分析システムを作動不可能にし得る。
【０００７】
白血球保護剤として一般に使用される強力な有機溶媒は、自動臨床分析器のプラスチック製構成要素の強度、可撓性、表面概観、色および寸法に、悪影響を及ぼし得る。強力な有機溶媒は、プラスチックポリマー鎖に対する化学的攻撃（例えば、酸化および脱重合）によって、自動臨床分析器のプラスチック製構成要素に損傷を与え得、そしてこのプラスチック製構成要素が、プラスチック製構成要素の軟化および膨潤、プラスチック製構成要素を通る溶媒の浸透、ならびに溶媒中のプラスチック製構成要素の溶解を生じ得る、強力な溶媒を吸収する場合に、物理的損傷を引き起こし得る。
【０００８】
ケトン（例えば、アセトンまたはメチルエチルケトン）を含む強力な有機溶媒は、ポリスチレンを溶解し得、そして低密度ポリエチレン（ＬＤＰＥ）および高密度ポリエチレン（ＨＤＰＥ）、ポリプロピレン（ＰＰ）、ネオプレンラバー、アクリレート（例えば、ＰｌｅｘｉｇｌａｓｓＴＭおよびＶｉｔｏｎＴＭ）に悪影響を及ぼす。エーテル（例えば、エチルエーテルおよびプロピルエーテル）は、ポリプロピレン、ＬＤＰＥ、ＨＤＰＥ、ＰＰおよびネオプレンラバーの膨潤、ひずみまたは溶解を引き起こし得る。アルコールもまた、ポリエチレンに悪影響を及ぼし得る。従って、強力な有機溶媒の使用は、回避されるべきである。
【０００９】
自動分析は、比較的少量の白血球の計数のための現在の手動の方法よりも正確である。現在の参照の手動分析方法は、Ｎａｇｅｏｔｔｅ血球計へと、白血球減少血液サンプルを導入する工程を包含する。これは、表面上に小さい格子を有するスライドガラスである。サンプルは、このデバイスに導入され、そして顕微鏡下で試験される。格子を使用して、白血球を計数し得る。
【００１０】
Ｎａｇｅｏｔｔｅ血球計チャンバの総容量は、約１００μＬの希釈サンプルの分析を可能にする。この手動方法は、時間がかかり、そして作業者の技能および経験に高度に依存する。
【００１１】
対照的に、自動分析は、より多いサンプル容量を分析するために適合され得、従って、より良好な統計的サンプリングを得、それによって、結果の再現性および正確さを改善し得る。自動化はまた、作業者の過誤を排除する、さらなる利点を提供する。
【特許文献１】米国特許第４，６３７，９８６号明細書
【非特許文献１】Ｍｏｒｏｆｆら、Ｖａｌｉｄａｔｉｏｎ  ｏｆ  ｔｈｅ  Ｕｓｅ  ｏｆ  ｔｈｅ  Ｎａｇｅｏｔｔｅ  Ｈｅｍｏｃｙｔｏｍｅｔｅｒ  ｔｏ  Ｃｏｕｎｔ  Ｌｏｗ  Ｌｅｖｅｌｓ  ｏｆ  Ｗｈｉｔｅ  Ｃｅｌｌｓ  ｉｎ  Ｗｈｉｔｅ  Ｃｅｌｌ−Ｒｅｄｕｃｅｄ  Ｐｌａｔｅｌｅｔ  Ｃｏｍｐｏｎｅｎｔｓ．ＴＲＡＮＳＦＵＳＩＯＮ，ｖｏｌ．３４，ｐｐ．３５−３８，（１９９４），ＡＡＢＢ  Ｔｅｃｈｎｉｃａｌ  Ｍａｎｕａｌ．Ｍｅｔｈｏｄ  ８．８．Ｃｏｕｎｔｉｎｇ  Ｒｅｓｉｄｕａｌ  Ｗｈｉｔｅ  Ｃｅｌｌｓ  ｉｎ  Ｌｅｕｋｏｃｙｔｅ−Ｒｅｄｕｃｅｄ  Ｂｌｏｏｄ  ａｎｄ  Ｃｏｍｐｏｎｅｎｔｓ
【非特許文献２】Ｇｏｏｄｆｅｌｌｏｗら、Ｔｈｅ  Ｕｎｉｔｅｄ  Ｋｉｎｇｄｏｍ  Ｎａｔｉｏｎａｌ  Ｅｘｔｅｒｎａｌ  Ｑｕａｌｉｔｙ  Ａｓｓｅｓｓｍｅｎｔ  Ｓｃｈｅｍｅ  Ｇａｔｉｎｇ  ａｎｄ  Ｓｔａｎｄａｒｄｉｚａｔｉｏｎ  Ｓｔｒａｔｅｇｙ  ｆｏｒ  Ｕｓｅ  ｉｎ  Ｒｅｓｉｄｕａｌ  ＷＢＣ  Ｃｏｕｎｔｉｎｇ  ｏｆ  ＷＢＣ−Ｒｅｄｕｃｅｄ  Ｂｌｏｏｄ  Ｃｏｍｐｏｎｅｎｔｓ．ＴＲＡＮＳＦＵＳＩＯＮ，ｖｏｌ．４２，ｐｐ．７３８−７４６，（２００２）
【非特許文献３】Ｖａｃｈｕｌａら、Ａ  Ｆｌｏｗ  Ｃｙｔｏｍｅｔｒｉｃ  Ｍｅｔｈｏｄ  ｆｏｒ  Ｃｏｕｎｔｉｎｇ  Ｖｅｒｙ  Ｌｏｗ  Ｌｅｖｅｌｓ  ｏｆ  Ｗｈｉｔｅ  Ｃｅｌｌｓ  ｉｎ  Ｂｌｏｏｄ  ａｎｄ  Ｂｌｏｏｄ  Ｃｏｍｐｏｎｅｎｔｓ．ＴＲＡＮＳＦＵＳＩＯＮ，ｖｏｌ．３３，ｐｐ．２６２−２６７，（１９９３）
【発明の開示】
【発明が解決しようとする課題】
【００１２】
本発明の目的は、高度に正確かつ精密な、残留白血球の分析および計数のための試薬を提供することである。
【課題を解決するための手段】
【００１３】
１つの局面において、本発明は、血漿、赤血球、および血小板からなる群より選択される、白血球を減少させた血液製剤の、サンプル中の残留白血球の計数および分析のための方法を提供し、この方法は、以下：
ａ）白血球を減少させた血液製剤を、十分な量の溶解試薬と接触させることによって、白血球を減少させた血液製剤の懸濁液を形成する工程であって、この溶解試薬が、以下：
ｉ）低モル濃度の緩衝剤、および
ｉｉ）非イオン性界面活性剤、
を含有する、工程；
ｂ）白血球を減少させた血液製剤および溶解試薬の懸濁液を、白血球に損傷を与えることなく血小板および赤血球を選択的に溶解するために十分な温度で、十分な時間にわたって、インキュベートする工程；
ｃ）溶解した血液製剤の白血球を、白血球を染色するために適切な色素と接触させる工程；ならびに
ｄ）染色された白血球の数を測定する工程、
を包含する。
【００１４】
１つの実施形態において、上記非イオン性界面活性剤は、オクチルフェノールポリエチレングリコールエーテル、モノラウリン酸ポリエチレンソルビタン、モノオレイン酸ポリエチレンソルビタン、およびポリオキシエチレンラウリルエーテルからなる群より選択される少なくとも１種であり；そしてこの非イオン性界面活性剤の量が、上記溶解試薬の約０．０１重量％〜約１．０重量％で変動する。
【００１５】
１つの実施形態において、低モル濃度の緩衝剤は、コハク酸、クエン酸、Ｎ−２−アセトアミドイミノ二酢酸、モルホリンエタンスルホン酸、およびピペラジン−Ｎ，Ｎ’−ビス−（２−エタンスルホン酸）からなる群より選択され；そしてこの緩衝剤の量が、約２ｍＭ〜約２５ｍＭで変動する。
【００１６】
１つの実施形態において、上記白血球を染色するために使用される上記色素は、メチルグリーン、メチレンブルー、ピロニンＹ、およびヨウ化プロピジウムからなる群より選択される核酸特異的色素である。
【００１７】
別の局面において、本発明は、強力な有機溶媒を含まず、そして白血球を減少させた血液製剤中の残留白血球の計数および分析のために適合された、溶解試薬組成物を提供し、この組成物は、以下：
ａ）十分な量の、少なくとも１種の非イオン性界面活性剤；
ｂ）十分な量の、低モル濃度の緩衝剤；および
ｃ）十分な量の、白血球を染色し得る適切な色素、
を含有する。
【００１８】
１つの実施形態において、上記組成物は、約３．５〜約７．５のｐＨで作用するように適合される。
【００１９】
１つの実施形態において、上記白血球を減少させた血液製剤は、血漿、赤血球および血小板からなる群より選択される。
【００２０】
１つの実施形態において、上記非イオン性界面活性剤は、オクチルフェノール−ポリエチレングリコールエーテル、モノラウリン酸ポリオキシエチレンソルビタン、モノオレイン酸ポリオキシエチレンソルビタン、およびポリオキシエチレンラウリルエーテルからなる群より選択される少なくとも１種であり；そして非イオン性界面活性剤の量が、上記溶解試薬の約０．０１重量％〜約１．０重量％で変動する。
【００２１】
１つの実施形態において、上記低モル濃度の緩衝剤は、コハク酸、クエン酸、Ｎ−２−アセトアミドイミノ二酢酸、２−（Ｎ−モルホリノ）エタンスルホン酸、およびピペラジン−Ｎ，Ｎ’−ビス−（２−エタンスルホン酸）からなる群より選択され；そしてこの緩衝剤のモル濃度が、約５ｍＭ〜約５０ｍＭで変動する。
【００２２】
１つの実施形態において、上記色素は、メチルグリーン、メチレンブルー、ピロニンＹ、およびヨウ化プロピジウムからなる群より選択される、核酸特異的色素である。
【００２３】
別の局面において、本発明は、強力な有機溶媒を含まない溶解試薬を使用することによる、残留白血球の計数および分析のために適合された、自動臨床分析器のプラスチック製構成要素に対する損傷を防止するための方法を提供し、この溶解試薬は、以下：
ａ）少なくとも１種の非イオン性界面活性剤；および
ｂ）低モル濃度の緩衝剤、
を含有する。
【００２４】
白血球を減少させた血液製剤のサンプル中の残留白血球の計数および分析が、十分な量の溶解試薬を用いて、白血球を減少させた血液製剤の懸濁液を形成することによって、実施される。この溶解試薬は、低モル濃度の緩衝剤、および非イオン性界面活性剤を含有する。白血球を減少させた血液製剤および溶解試薬の懸濁液は、白血球に損傷を与えることなく血小板および赤血球を選択的に溶解するために十分な温度で、十分な時間にわたってインキュベートされる。次いで、溶解した血液製剤中の白血球は、適切な色素と接触されて、白血球が染色され、そして染色された白血球の数が測定される。この溶解試薬は、自動臨床分析器のプラスチック製構成要素に損傷を与え得る、強力な有機溶媒を含まない。
【発明を実施するための最良の形態】
【００２５】
（好ましい実施形態の記載）
本発明の１実施形態は、濃縮された血小板およびパック詰め圧縮された赤血球製剤および血漿における残留白血球の分析および計数を実施するための、自動臨床分析器（例えば、Ｂａｙｅｒ  ＡＤＶＩＡ  １２０／２１２０（登録商標）Ｈｅｍａｔｏｌｏｇｙ  Ｓｙｓｔｅｍｓ）の直接的サイトメトリー特徴の使用である。本明細書中でいうような直接的サイトメトリーは、計数および分析のための吸引されたサンプルの直接移動を意味する。
【００２６】
本発明の別の実施形態は、低ｐＨでの新規溶解試薬組成物の使用である。本発明の溶解試薬は、非毒性界面活性剤および低モル濃度で調製された緩衝液を含み、そして強力な有機溶媒白血球保護剤を含まない。
【００２７】
この溶解試薬は、試薬中懸濁液の血小板および赤血球を、選択的に溶解または破壊する。このことは、白血球減少血液バンク製剤（例えば、赤血球、濃縮血小板および血漿単位）における高い程度の正確さおよび精密さでの、残留白血球の分析および計数を促進する。
【００２８】
白血球減少血液製剤（例えば、パック詰めされた赤血球、血小板濃縮物および血漿）における残留白血球の分析は、最初に、サンプルを、白血球に悪影響を及ぼさずにサンプル中の血小板および赤血球を選択的に破壊するのに十分な量の溶解試薬と接触させるか、またはこの試薬で希釈することによって、白血球減少血液製剤の懸濁液を形成する工程を包含する。
【００２９】
希釈の程度または溶解試薬の量は、サンプル中の細胞数に依存する。細胞が豊富なサンプルは、より多量の希釈を必要とする。溶解試薬：サンプルの、約２：１の容量比は、白血球に悪影響を与えることなく、サンプル中の血小板および赤血球を選択的に破壊するのにそれぞれ十分であることが、見出されている。懸濁液中の血小板および赤血球は、溶解試薬によって、選択的に溶解される。
【００３０】
赤血球および血小板の溶解において、低ｐＨの補助にて低イオン強度の緩衝液および非イオン性の界面活性剤を含有するが、有機溶媒白血球保護剤を必要とすることなく、白血球の完全性を維持する、本発明の溶解試薬の使用が、発見された。
【００３１】
緩衝液は、約３．５〜約７．５のｐＨ、好ましくは、約４．０〜約７．０のｐＨ、そして最も好ましくは、約５．５〜約６．５のｐＨで、低モル濃度にて調製される。このモル濃度は、約２ｍＭ〜約２５ｍＭ、好ましくは、約５ｍＭ〜約１５ｍＭ、そして最も好ましくは、約６ｍＭ〜約９ｍＭまで変動し得る。
【００３２】
好ましい緩衝液としては、コハク酸（ｐＫａ＝５．５７）、クエン酸（ｐＫａ＝５．４０）、Ｎ−２−アセトアミドイミノ二酢酸（ＡＤＡ）（ｐＫａ＝６．６０）、２−（Ｎ−モルホリノ）エタンスルホン酸（ＭＥＳ）（ｐＫａ＝６．１５）およびピペラジン（ｐｉｐｅｒｅｒａｚｉｎｅ）−Ｎ，Ｎ’−ビス−（２−エタンスルホン酸）（ＰＩＰＥＳ）（ｐＫａ＝６．８０）が挙げられる。
【００３３】
特に好ましい緩衝液は、２−（Ｎ−モルホリノ）エタンスルホン酸（ＭＥＳ）である。ＭＥＳが好ましい。なぜなら、このＭＥＳは、約６．１５のｐＫａを有し、このｐＫａは、約６．０のｐＨにおける溶解試薬の維持に理想的である一方で、低モル濃度を維持するからである。
【００３４】
この溶解試薬の低モル濃度は、その浸透圧勾配を増加させる低張性環境を確立するのを助ける。低張性溶液は、水を赤血球に侵入させ、それによって溶解を引き起こさせる。
【００３５】
非イオン性界面活性剤または弱い界面活性剤の使用は、白血球保護剤として現在使用されている強力な有機溶媒よりも、フローサイトメトリーシステム（例えば、Ｂａｙｅｒ  ＡＤＶＩＡ  １２０／２１２０（登録商標）Ｈｅｍａｔｏｌｏｇｙ  Ｓｙｓｔｅｍｓ）において一般に使用される分析用機器のプラスチック製構成要素に対してあまり損害を与えない。
【００３６】
適切な非イオン性界面活性剤は、白血球膜の核内への着色剤（例えば、色素）の透過性、すなわち透過を補助し、そしてまた、溶解から白血球を保護する際にいくつかの役割を有し得ることもまた、見出されている。
【００３７】
適切な非イオン性界面活性剤は、白血球に悪影響を及ぼさないものであり、これらとしては、Ｔｒｉｔｏｎ  Ｘ−１００ＴＭ（Ｒｏｈｍ  ＆  Ｈａａｓ）（オクチルフェノールポリエチレングリコールエーテル）、Ｔｗｅｅｎ  ２０ＴＭ（ＩＣＩ  Ｌｔｄ）（モノラウリン酸ポリオキシエチレンソルビタン）、Ｔｗｅｅｎ  ８０ＴＭ（ＩＣＩ  Ｌｔｄ）（モノオレイン酸ポリオキシエチレンソルビタン）、ＢｒｉｊＴＭ（Ｕｎｉｑｅｍａ）（ポリオキシエチレンラウリルエーテル）などが挙げられる。
【００３８】
非イオン性の界面活性剤は、約０．０１重量％〜約１．０重量％の溶解試薬、好ましくは、約０．０４重量％〜約０．５０重量％、そして最も好ましくは、約０．０７重量％〜約０．２５重量％まで変動し得る。最も好ましい非イオン性の界面活性剤は、Ｔｒｉｔｏｎ  Ｘ−１００ＴＭであり、この界面活性剤の量は、溶解試薬の約０．０５重量％〜約０．５重量％、そして好ましくは、約０．１重量％〜約０．２重量％まで変動し得る。
【００３９】
この溶解試薬はまた、約２５ｍｇ／Ｌ〜約２００ｍｇ／Ｌ、好ましくは、約５０ｍｇ／Ｌ〜約１５０ｍｇ／Ｌ、そして最も好ましくは、約７５ｍｇ／Ｌ〜約１２５ｍｇ／Ｌの核酸特異的色素（例えば、メチルグリーン、エチレンブルー、ピロニンＹ、およびヨウ化プロピジウム）を含み、白血球の核内のＤＮＡまたは核酸を差次的に染色する。
【００４０】
溶解された血液製剤中の透過化白血球の核を、核酸特異的色素、好ましくはメチルグリーンまたはメチレンブルーで染色することにより、この白血球は、その光吸収特性または光散乱特性に基づいて同定され得る。その後、この白血球の絶対数および濃度が、白血球が自動化ベースで計数され得る適切な様式（例えば、フローサイトメトリー）で測定され得る。
【００４１】
溶解された赤血球および血小板の白血球との区別は、必要ではない。なぜなら、残留赤血球および血小板は、核酸特異的色素で染色されないからである。血小板も赤血球も、ＤＮＡを含まない。ＤＮＡは、メチルグリーンまたはメチレンブルー色素によって染色される核酸である。これは、核酸特異的色素の吸光度および／または蛍光特性によって、フローサイトメトリーに特に適切になる。この色素は、特定の波長における吸光度を与えて、白血球をバックグラウンドから区別することによって、白血球をより目立たせ、そしてＡＤＶＩＡ  １２０／２１２０（登録商標）Ｈｅｍａｔｏｌｏｇｙ  Ｓｙｓｔｅｍｓによる検出をより容易にする。あるいは、調製サンプル中の白血球は、顕微鏡を使用して手動で計数され得る。この手動方法は、より労働集約的であり、時間がかかり、そしてあまり正確ではない。
【００４２】
Ｂａｙｅｒ  ＡＤＶＩＡ  １２０／２１２０（登録商標）Ｈｅｍａｔｏｌｏｇｙ  Ｓｙｓｔｅｍｓは、血液バンク製剤（血小板濃縮物および／または濃縮赤血球製剤を含むが、これらに限定されない）の残留白血球の分析および計数を自動化ベースで実施し得る。このサンプルは、室温で約２時間までの間（好ましくは、約０．５〜約１時間）、溶解試薬と共にインキュベートされ得、そしてＢａｙｅｒ  ＡＤＶＩＡ  １２０／２１２０（登録商標）Ｈｅｍａｔｏｌｏｇｙ  Ｓｙｓｔｅｍｓの直接サイトメトリー特性により吸引され得る。より長いインキュベーション時間が使用され得るが、有益な効果を有するとは考えられていない。
【００４３】
Ｂａｙｅｒ  ＡＤＶＩＡ  １２０／２１２０（登録商標）Ｈｅｍａｔｏｌｏｇｙ  Ｓｙｓｔｅｍｓの特定の分析特性は、手動方法と比較して相対的に大容量の、溶解された調製サンプルの正確な分析を可能にし得る。手動方法は、一般に、元のサンプル中の全白血球集団の少量のサンプリングしか可能にしない。手動方法における元のサンプルは、通常、Ｔｕｒｋ溶液中で約１：１００に希釈され、この内の１００μＬが計数される。この手動方法は、操作者およびサンプル取り扱いの誤差を受けやすく、再現性が乏しく、そして自動方法よりも正確ではない。
【００４４】
Ｂａｙｅｒ  ＡＤＶＩＡ  １２０／２１２０（登録商標）Ｈｅｍａｔｏｌｏｇｙ  Ｓｙｓｔｅｍｓの自動化特性は、残留白血球の絶対量（数／μＬ）を算出し得る。血小板濃縮物および／または濃縮赤血球製剤の単位用量が提供される場合、自動Ｂａｙｅｒ  ＡＤＶＩＡ  １２０／２１２０（登録商標）Ｈｅｍａｔｏｌｏｇｙ  Ｓｙｓｔｅｍｓはまた、白血球（数／単位）を算出し得る。
【００４５】
本発明の他の用途は、他の血液バンク製剤（例えば、血小板濃縮物、血小板ファレーシス、血漿および濃縮赤血球）中の残留白血球の計数を含み得る。さらに、拡張または拡大された細胞数が、極度の白血球減少症の全血サンプルにおいて可能であり得る。